(57)【要約】【課題】多極使用した場合であっても、通常のＬＡ端子の締結部における信頼性と同等の信頼性を確保できる電線タイプヒュージブルリンク用分配端子を得る。【解決手段】電線タイプヒュージブルリンク用分配端子１００において、導電性金属板１１と、金属板１１に穿設されバッテリー端子ボルト１７に締結される固定穴と、複数の電線タイプヒュージブルリンク１３ａ，１３ｂ，１３ｃのそれぞれに対応して金属板１１に設けられ電線タイプヒュージブルリンク１３ａ，１３ｂ，１３ｃの可溶性導体に圧着する加締足３５を有した複数の圧着バレル３７と、を設けた。また、電線タイプヒュージブルリンク用分配端子１００は、短冊状の金属板１１の長手方向一端側と他端側を短尺の水平部３９と長尺の垂直部４１のＬ字状に折り曲げ、固定穴を水平部３９に設け、複数の圧着バレル３７を垂直部４１の長手方向に離間配置することが好ましい。【選択図】図１
2010257825.tif 000002
【特許請求の範囲】
【請求項１】
導電性金属板と、
該金属板に穿設されバッテリー端子ボルトに締結される固定穴と、
複数の電線タイプヒュージブルリンクのそれぞれに対応して前記金属板に設けられ該電線タイプヒュージブルリンクの可溶性導体に圧着する加締足を有した複数の圧着バレルと、
を具備したことを特徴とする電線タイプヒュージブルリンク用分配端子。
【請求項２】
請求項１記載の電線タイプヒュージブルリンク用分配端子であって、
短冊状の前記金属板の長手方向一端側と他端側を短尺の水平部と長尺の垂直部のＬ字状に折り曲げ、
前記固定穴を前記水平部に設け、
前記複数の圧着バレルを前記垂直部の長手方向に離間配置したことを特徴とする電線タイプヒュージブルリンク用分配端子。
【請求項３】
請求項２記載の電線タイプヒュージブルリンク用分配端子であって、
前記金属板の両側部にはＬ字曲げの入隅側に突出する補強リブが前記水平部と前記垂直部に渡って折り曲げられたことを特徴とする電線タイプヒュージブルリンク用分配端子。
【請求項４】
請求項２又は請求項３記載の電線タイプヒュージブルリンク用分配端子であって、
前記圧着バレルが前記垂直部の両側部と平行な一対の加締足を有し、
該一対の加締足の間には前記可溶性導体に食い込む抜け防止手段が設けられたことを特徴とする電線タイプヒュージブルリンク用分配端子。
【請求項５】
請求項２〜請求項４のいずれか１項に記載の電線タイプヒュージブルリンク用分配端子を用いたヒューズ接続構造であって、
複数の前記圧着バレルのそれぞれに前記電線タイプヒュージブルリンクの入力側が圧着され、
前記電線タイプヒュージブルリンクの出力側が前記垂直部の表面に平行で且つ両側部の方向に並設されたコネクタ端子に接続されることで、前記電線タイプヒュージブルリンクのそれぞれが相互に離間されたことを特徴とする電線タイプヒュージブルリンク用分配端子を用いたヒューズ接続構造。
【発明の詳細な説明】
【技術分野】
【０００１】
本発明は、電線タイプヒュージブルリンク用分配端子に関し、特に、多極使用した場合の信頼性を確保する改良技術に関する。
【背景技術】
【０００２】
電線タイプヒュージブルリンクであるＦＬＷ(Fusible Link Wire)は、例えば特許文献１に開示されるように、可溶性導体上に導体溶断時の高温度に耐える第１の絶縁体を被覆し、この第１の絶縁体上にさらに上記可溶性導体の溶断時に溶融変色等する第２の絶縁導体を被覆してなる。ＦＬＷを使用したヒューズの構造は、図６に示すように、ＦＬＷ５０１の両端にそれぞれ丸形板端子である所謂ＬＡ（ＪＩＳ規格の自動車用丸形板端子の略号）端子５０３，５０３又は一般端子を圧着して入力部５０５及び出力部５０７とする。
【０００３】
通常の使用例では、図７（ａ）に示すように、バッテリー端子５０９に設けられたバッテリー端子ボルト５１１に入力部５０５のＬＡ端子５０３がナット５１３にて締結接続（螺着）される。また、多極で使用する場合は、図７（ｂ）に示すように、複数のＬＡ端子５０３，５０３を重ね合わせてバッテリー端子ボルト５１１に螺着される。さらに、図７（ｃ）に示すように、一つに纏めた可溶性導体を一つのＬＡ端子５０３の圧着部に重複圧着（所謂ダブり圧着）し、多極対応を実施する場合も想定された。
【先行技術文献】
【特許文献】
【０００４】
【特許文献１】実開昭５４−４８３８２号公報
【発明の概要】
【発明が解決しようとする課題】
【０００５】
しかしながら、ＦＬＷを使用したヒューズの構造は、多極対応の時、図７（ｂ）に示すようにＬＡ端子５０３，５０３が重ね合わせで使用されると、バッテリー端子５０９へのねじ締結部での接点が増加し、信頼性に不安が残る。すなわち、一組のボルト・ナットからなる締結手段５１１，５１３にて一定の締め付け力で複数の端子を多層状に挟持するため、各端子間の接触面積（接点）が増え、各接点の圧接力低下や圧接力の不均衡が生じやすくなる。また、特に図７（ｃ）に示したダブり圧着においては、バッテリー端子５０９へのねじ締結部での接点は増加しないものの、圧着により電線断面積が減る可能性があり、ＦＬＷそれぞれの可溶性導体のどの断面積がどれほど減少するかが不確定となり、バラツキの大きくなることが予想された。その結果、各ＦＬＷ５０１の溶断特性もばらつく可能性があった。
【０００６】
本発明は上記状況に鑑みてなされたもので、その目的は、多極使用した場合であっても、通常のＬＡ端子の締結部における信頼性と同等の信頼性を確保できる電線タイプヒュージブルリンク用分配端子を提供することにある。
【課題を解決するための手段】
【０００７】
本発明に係る上記目的は、下記構成により達成される。
（１）  導電性金属板と、
該金属板に穿設されバッテリー端子ボルトに締結される固定穴と、
複数の電線タイプヒュージブルリンクのそれぞれに対応して前記金属板に設けられ該電線タイプヒュージブルリンクの可溶性導体に圧着する加締足を有した複数の圧着バレルと、
を具備したことを特徴とする電線タイプヒュージブルリンク用分配端子。
【０００８】
この電線タイプヒュージブルリンク用分配端子によれば、バッテリー端子ボルトに対しては固定穴が締結され、通常の丸形板端子の締結と同様の一層の圧接接続構造となる。また、金属板に対しては各圧着バレルに１本の電線タイプヒュージブルリンクが圧着され、電線タイプヒュージブルリンク１本毎の圧着接続構造となる。
【０００９】
（２）  （１）の電線タイプヒュージブルリンク用分配端子であって、
短冊状の前記金属板の長手方向一端側と他端側を短尺の水平部と長尺の垂直部のＬ字状に折り曲げ、
前記固定穴を前記水平部に設け、
前記複数の圧着バレルを前記垂直部の長手方向に離間配置したことを特徴とする電線タイプヒュージブルリンク用分配端子。
【００１０】
この電線タイプヒュージブルリンク用分配端子によれば、水平部がバッテリーの上面と平行となり、垂直部がバッテリー垂直面と平行に配置され、水平方向の突出量を短くして、垂直方向に複数の圧着バレルを分散配置でき、エンジンルームの省スペース化を可能にできる。
【００１１】
（３）  （２）の電線タイプヒュージブルリンク用分配端子であって、
前記金属板の両側部にはＬ字曲げの入隅側に突出する補強リブが前記水平部と前記垂直部に渡って折り曲げられたことを特徴とする電線タイプヒュージブルリンク用分配端子。
【００１２】
この電線タイプヒュージブルリンク用分配端子によれば、金属板のＬ字曲げ形状の強度を高めることができる。両側の補強リブでバッテリー端子を挟持して金属板をバッテリー端子に対して回転規制できる。金属板表面積を増大させて放熱性を高めることができる。
【００１３】
（４）  （２）又は（３）の電線タイプヒュージブルリンク用分配端子であって、
前記圧着バレルが前記垂直部の両側部と平行な一対の加締足を有し、
該一対の加締足の間には前記可溶性導体に食い込む抜け防止手段が設けられたことを特徴とする電線タイプヒュージブルリンク用分配端子。
【００１４】
この電線タイプヒュージブルリンク用分配端子によれば、それぞれの電線タイプヒュージブルリンクを垂直部の長手方向（上下方向）に沿う方向で接続でき、電線タイプヒュージブルリンクが垂直部の幅方向に広がることを防止できる。また、一対の加締足で圧着された可溶性導体が抜け防止手段に食い込み、圧着バレルからの抜け強度が高まる。
【００１５】
（５）  （２）〜（４）のいずれか１つの電線タイプヒュージブルリンク用分配端子を用いたヒューズ接続構造であって、
複数の前記圧着バレルのそれぞれに前記電線タイプヒュージブルリンクの入力側が圧着され、
前記電線タイプヒュージブルリンクの出力側が前記垂直部の表面に平行で且つ両側部の方向に並設されたコネクタ端子に接続されることで、前記電線タイプヒュージブルリンクのそれぞれが相互に離間されたことを特徴とする電線タイプヒュージブルリンク用分配端子を用いたヒューズ接続構造。
【００１６】
この電線タイプヒュージブルリンク用分配端子を用いたヒューズ接続構造によれば、入力側を垂直部に接続した電線タイプヒュージブルリンクの出力側が左右方向に振り分けられて接続され、それぞれの電線タイプヒュージブルリンクが離間して、電線タイプヒュージブルリンク相互間の熱干渉が生じなくなる。
【発明の効果】
【００１７】
本発明に係る電線タイプヒュージブルリンク用分配端子によれば、バッテリー端子との締結部が金属板に穿設した固定穴一箇所となるので、通常の丸形板端子の締結における信頼性と同等の信頼性を確保できる。また、電線タイプヒュージブルリンクの圧着部においては、１本の電線タイプヒュージブルリンクに対応した一箇所の圧着バレルを持つので、多極使用した場合であっても、圧着部の信頼性を確保できる。
【００１８】
本発明に係る電線タイプヒュージブルリンク用分配端子を用いたヒューズ接続構造によれば、電線タイプヒュージブルリンクの出力側が、垂直部の両側部の方向に並設されたコネクタ端子に接続され、相互に離間されるので、電線タイプヒュージブルリンク間の熱干渉を防止できる。これにより、溶断時の影響を他のヒュージブルリンクに与えず、溶断特性にバラツキのない高品質なヒューズ接続構造を得ることができる。
【図面の簡単な説明】
【００１９】
【図１】本発明に係る電線タイプヒュージブルリンク用分配端子の組み付け状態の斜視図である。
【図２】ヒュージブルリンクユニットへの取り付け例を示す分解側面図である。
【図３】電線タイプヒュージブルリンク用分配端子の斜視図である。
【図４】図３に示した電線タイプヒュージブルリンク用分配端子の正面視を（ａ）、そのＡ−Ａ矢視を（ｂ）、下面視を（ｃ）で表した端子構成図である。
【図５】図３に示した電線タイプヒュージブルリンク用分配端子の使用例を（ａ）（ｂ）（ｃ）で表した斜視図である。
【図６】従来の電線タイプヒュージブルリンクの斜視図である。
【図７】従来の電線タイプヒュージブルリンク用分配端子の使用例を（ａ）（ｂ）（ｃ）で表した分解斜視図である。
【発明を実施するための形態】
【００２０】
以下、本発明の実施の形態を図面を参照して説明する。
図１は本発明に係る電線タイプヒュージブルリンク用分配端子の組み付け状態の斜視図、図２はヒュージブルリンクユニットへの取り付け例を示す分解側面図である。
本実施の形態による電線タイプヒュージブルリンク用分配端子（以下、単に「分配端子」とも称す。）１００は、導電性金属板１１をプレス、折曲加工することにより一体形成される。分配端子１００には複数の電線タイプヒュージブルリンク（ＦＬＷ：Fusible Link Wire）１３ａ，１３ｂ，１３ｃの一端が圧着される。ＦＬＷ１３ａ，１３ｂ，１３ｃの圧着された分配端子１００は、バッテリー端子１５のバッテリー端子ボルト１７へナット１９に螺着される。
【００２１】
分配端子１００は、図１に示すように、バッテリー端子１５に単独で接続されても良いが、図２に示すように、ヒュージブルリンクユニット２１に共締めされるオプション回路用の接続部２３として用いられても良い。なお、図２中、２５は複数の可溶部を有したヒューズエレメント、２７はオプション回路用の接続部２３のオプションコネクタ、２９はバッテリーを示す。
【００２２】
図３は電線タイプヒュージブルリンク用分配端子の斜視図、図４は図３に示した電線タイプヒュージブルリンク用分配端子の正面視を（ａ）、そのＡ−Ａ矢視を（ｂ）、下面視を（ｃ）で表した端子構成図である。
金属板１１にはバッテリー端子ボルト１７に締結される固定穴３１が穿設される。また、金属板１１は、複数のＦＬＷ１３ａ，１３ｂ，１３ｃのそれぞれに対応して、ＦＬＷ１３ａ，１３ｂ，１３ｃの可溶性導体３３（図２参照）に圧着する加締足３５を有した複数の圧着バレル３７を具備する。
【００２３】
本実施の形態による金属板１１は、短冊状に形成された長手方向一端側と、他端側を短尺の水平部３９と長尺の垂直部４１のＬ字状に折り曲げて形成されている。水平部３９には、上記の固定穴３１が設けられる。垂直部４１には、上記の複数の圧着バレル３７が長手方向（図１の上下方向）に離間配置されている。
【００２４】
金属板１１は、Ｌ字状に折曲形成されることで、水平部３９がバッテリー２９の上面２９ａ（図２参照）と平行となり、垂直部４１がバッテリー２９の垂直面２９ｂと平行に配置される。これにより、水平方向の突出量を短くして、垂直方向に複数の圧着バレル３７を分散配置でき、エンジンルームの省スペース化を可能としている。
【００２５】
金属板１１の両側部（図４（ａ）の左右辺部）にはＬ字曲げの入隅側に突出する補強リブ４３，４３が水平部３９と垂直部４１の両方に渡って折り曲げられている。これにより、金属板１１のＬ字曲げ形状の強度が高められている。また、両側の補強リブ４３，４３でバッテリー端子１５の締結部１５ａ（図２参照）を挟持して、金属板１１をバッテリー端子１５に対して回転規制可能としている。さらに、補強リブ４３，４３が設けられることで、金属板表面積を増大させ、放熱性を高める副次的効果も得ている。
【００２６】
圧着バレル３７は、垂直部４１の両側部と平行な一対の加締足３５ａ，３５ｂを有する。加締足３５ａ，３５ｂは、例えば垂直部４１を切り起こし加工して形成することができる。また、圧着バレル３７には、一対の加締足３５ａ，３５ｂの間に、可溶性導体３３に食い込む抜け防止手段４５が設けられている。抜け防止手段４５は、本実施の形態において、上下に平行な複数の凸条４７（図４参照）を配置してなる。したがって、凸条４７，４７同士の間は凹部４９となる。抜け防止手段４５は、凸条４７及び凹部４９に代え、上下に平行な長穴（図示せず）としてもよい。
【００２７】
このように、垂直部４１の両側部と平行な一対の加締足３５ａ，３５ｂを設けることで、それぞれのＦＬＷ１３ａ，１３ｂ，１３ｃを垂直部４１の長手方向（上下方向）に沿う方向で接続でき、ＦＬＷ１３ａ，１３ｂ，１３ｃが垂直部４１の幅方向（図４（ａ）の左右方向）に広がる肥大化を防止している。
【００２８】
また、一対の加締足３５ａ，３５ｂの間に抜け防止手段４５を設けることで、加締足３５ａ，３５ｂで圧着された可溶性導体３３が抜け防止手段４５に食い込み、圧着バレル３７からの抜け強度が高められている。
【００２９】
圧着バレル３７に一端側（入力側）の可溶性導体３３が圧着されたＦＬＷ１３ａ，１３ｂ，１３ｃは、他端側（出力側）の可溶性導体３３に自動車用丸形板端子であるＬＡ端子５１又は一般端子が圧着される。ＬＡ端子５１又は一般端子は、不図示の負荷側回路に接続される。分配端子１００は、図２に示したオプション回路用の接続部２３に使用される場合には、ＬＡ端子５１又は一般端子がオプションコネクタ２７に接続される。
【００３０】
図５は図３に示した電線タイプヒュージブルリンク用分配端子の使用例を（ａ）（ｂ）（ｃ）で表した斜視図である。
分配端子１００は、分配回路数に応じ圧着バレル３７，３７，３７にＦＬＷ１３ａ，１３ｂ，１３ｃが接続される。すなわち、分配回路が一回路である場合には図５（ａ）に示すように下段の圧着バレル３７にＦＬＷ１３ａのみが圧着接続されて使用される。また、分配回路が二回路又は三回路となる場合には、図５（ｂ）、図５（ｃ）に示すように、下段、中段の圧着バレル３７，３７にＦＬＷ１３ａ，１３ｂが圧着されたり、下段、中段、上段の圧着バレル３７，３７，３７にＦＬＷ１３ａ，１３ｂ，１３ｃが圧着されたりして使用される。
【００３１】
ここで、例えば、ＦＬＷ１３ａ，１３ｂ，１３ｃを圧着する分配端子１００が、上記した図２に示すオプション回路用の接続部２３に使用される場合には、ＦＬＷ１３ａ，１３ｂ，１３ｃの出力側が垂直部４１の表面４１ａに平行で且つ両側部の方向（図２の紙面垂直方向）に並設された複数のコネクタ端子５３（図中には１つのみ破線で示す。）に接続される。すなわち、コネクタ端子５３は、図２の紙面垂直方向に３つ並設されている。これにより、ＦＬＷ１３ａ，１３ｂ，１３ｃは、それぞれが相互に離間される。
【００３２】
このように、分配端子１００は、例えばヒュージブルリンクユニット２１のオプション回路用の接続部２３に使用される場合、入力側が垂直部４１に接続される一方、ＦＬＷ１３ａ，１３ｂ，１３ｃの出力側が左右方向に振り分けられてコネクタ端子５３に接続され、それぞれのＦＬＷ１３ａ，１３ｂ，１３ｃが離間されて（図５（ｃ）の状態参照）、ＦＬＷ１３ａ，１３ｂ，１３ｃ相互間の熱干渉が生じなくなっている。
【００３３】
以上のように、分配端子１００では、バッテリー端子ボルト１７に対して固定穴３１が締結され、通常の丸形板端子の締結と同様の一層の圧接接続構造となる。また、金属板１１に対しては各圧着バレル３７，３７，３７に１本のＦＬＷ１３ａ，１３ｂ，１３ｃが圧着され、ＦＬＷ１３ａ，１３ｂ，１３ｃの１本毎の圧着接続構造となる。
【００３４】
したがって、本実施の形態による分配端子１００によれば、バッテリー端子１５との締結部が金属板１１に穿設した固定穴３１の一箇所となるので、通常の丸形板端子の締結における信頼性と同等の信頼性を確保できる。また、ＦＬＷ１３ａ，１３ｂ，１３ｃの圧着部においても、１本のＦＬＷ１３ａ，１３ｂ，１３ｃ毎に対応した一箇所の圧着バレル３７を持つので、多極使用した場合であっても、圧着部の信頼性を確保することができる。
【００３５】
また、本実施の形態による電線タイプヒュージブルリンク用分配端子を用いたヒューズ接続構造によれば、ＦＬＷ１３ａ，１３ｂ，１３ｃの出力側が、垂直部４１の両側部の方向に並設されたコネクタ端子５３に振り分けられて接続され、相互に離間されるので、ＦＬＷ１３ａ，１３ｂ，１３ｃ間の熱干渉を防止できる。これにより、溶断時の影響を他のヒュージブルリンクに与えず、溶断特性にバラツキのない高品質なヒューズ接続構造を得ることができる。
【符号の説明】
【００３６】
１１  金属板
１３ａ，１３ｂ，１３ｃ  ＦＬＷ（電線タイプヒュージブルリンク）
１７  バッテリー端子ボルト
３１  固定穴
３３  可溶性導体
３５  加締足
３５ａ，３５ｂ  一対の加締足
３７  圧着バレル
３９  水平部
４１  垂直部
４１ａ  垂直部の表面
４３  補強リブ
４５  抜け防止手段
５３  コネクタ端子
１００  電線タイプヒュージブルリンク用分配端子
【図１】
2010257825.tif 000003
【図２】
2010257825.tif 000004
【図３】
2010257825.tif 000005
【図４】
2010257825.tif 000006
【図５】
2010257825.tif 000007
【図６】
2010257825.tif 000008
【図７】
2010257825.tif 000009